(57)【要約】【課題】スタンド設置時において、外力や自重に起因する画質の劣化やディスプレイパネルの破損が発生しにくいプラズマディスプレイ装置などの映像表示装置を提供する。【解決手段】前面板と背面板との周縁部を封着部材によって接合したＰＤＰ１０と、ＰＤＰ１０の背面板に接合部材によって接合した金属シャーシ４５と、ＰＤＰ１０と金属シャーシ４５とを覆って設けた筐体４８と、スタンド１２とを備えた映像表示装置であって、金属シャーシ４５とスタンド１２とを、金属シャーシ４５に固定された第１支持部材４２ａ，４２ｄと、第１支持部材４２ａ、４２ｄに固定されるとともにスタンド１２に固定される第２支持部材４３とにより、金属シャーシ４５と第２支持部材４３との間に空間部４４を設けて固定支持している。【選択図】図３
2010243708.tif 000002
【特許請求の範囲】
【請求項１】
ディスプレイパネルと、
前記ディスプレイパネルの背面に接合部材によって接合したシャーシ部材と、
前記ディスプレイパネルと前記シャーシ部材とを覆って設けた筐体と、
前記シャーシ部材に固定された第１支持部材と、
前記シャーシ部材との間に空間部を設けるように前記第１支持部材に固定された第２支持部材と、
前記第２支持部材に固定されたスタンドと、を備えた、
映像表示装置。
【請求項２】
前記シャーシ部材と前記第１支持部材とを結合固定する第１固定部と、
前記第１支持部材と前記第２支持部材とを結合固定する第２固定部と、
前記第２支持部材と前記スタンドとを結合固定する第３固定部と、を有し、
少なくとも前記第１固定部と前記第３固定部の位置が、前記シャーシ部材の背面側から見て前記シャーシ部材へ投影した位置において異なる、
請求項１に記載の映像表示装置。
【請求項３】
前記第１固定部が前記第２固定部より外側に配置され、かつ、前記第２固定部が前記第３固定部よりも外側に配置されている、
請求項２に記載の映像表示装置。
【請求項４】
前記シャーシ部材は長辺と短辺を有し、前記第１支持部材が、前記シャーシ部材の前記短辺と略平行な長辺部を備えるとともに、前記シャーシ部材の長辺方向の中心軸に対して対象となるように少なくとも２本配置されている、
請求項１から請求項３のいずれか一項に記載の映像表示装置。
【発明の詳細な説明】
【技術分野】
【０００１】
本発明は、プラズマディスプレイ装置などの設置用スタンドを設けた映像表示装置に関する。
【背景技術】
【０００２】
近年、薄型、大型化に適した映像表示装置として液晶ディスプレイパネルを用いた液晶ディスプレイ装置やプラズマディスプレイパネル（以下、ＰＤＰと略記する）を用いたプラズマディスプレイ装置が注目されて大量に生産され、販売も急拡大している。
【０００３】
ＰＤＰは、前面板と背面板の一対のガラス基板より構成されている。前面板には、前面ガラス基板上に表示電極対、誘電体層、保護層などが形成されている。一方、背面板には、背面ガラス基板にデータ電極、隔壁、蛍光体層などが形成されている。前面板と背面板との間に微小な放電空間が形成されるように対向配置し、前面ガラス基板と背面ガラス基板の周縁部を封着部材により封着している。また、放電空間内にはネオン（Ｎｅ）およびキセノン（Ｘｅ）などを混合してなる放電ガスが封入されている。
【０００４】
ＰＤＰの背面板の裏面には接着性の熱伝導シートまたは接着剤などの接合部材を介してシャーシ部材が貼り付けられている。シャーシ部材はＰＤＰを支持固定するとともに、ＰＤＰを駆動するための駆動回路を実装した回路基板を取付けるための基板であり、かつＰＤＰで発生した熱を効率的に放熱するという機能も有する。さらに、プラズマディスプレイ装置にはＰＤＰや回路基板を保護するための前面枠やバックカバーなどの筐体部が装着され、この筐体部にシャーシ部材を固定してプラズマディスプレイ装置本体を構成している。また、このようなプラズマディスプレイ装置本体は、シャーシ部材がスタンドに固定結合されて、スタンドを装置台などに載置して視聴している。
【０００５】
このように、スタンドとプラズマディスプレイ装置本体とを固定結合して設置した場合、プラズマディスプレイ装置本体の周辺部などに外力が印加される場合がある。その場合、スタンドは装置台などに固定されているため、その反作用として映像表示装置本体のシャーシ部材に荷重負荷が掛かり、その結果としてシャーシ部材に支持固定されているＰＤＰを変形させる負荷が印加される。これにより、ＰＤＰに歪応力が発生し、画質の劣化およびＰＤＰの破損などの原因となる恐れがある。
【０００６】
これに対する従来技術としては、補強部材を使用して保持部の補強を行うことによりシャーシ部材に加わる荷重を分散させて表示パネルへの負荷を低減し、画質の劣化やパネルの破損を抑制する映像表示装置の事例が特許文献１に開示されている。
【先行技術文献】
【特許文献】
【０００７】
【特許文献１】特開２００５−３３８７８８号公報
【発明の概要】
【発明が解決しようとする課題】
【０００８】
しかしながら、従来の構成では、映像表示装置に大きな外力を受けた場合に対処するためには、補強部材の寸法を大きくすること、および補強部材の配設箇所を増やすことが必要になる。したがって、表示装置の保持機構が大型化するほか、部品点数が増加して構造が複雑になり、回路基板その他の部品との配置上の課題および放熱面での課題を伴う。また、生産およびコスト面でも課題が残る。
【０００９】
本発明は、以上の課題を解決するためになされたもので、特に、映像表示装置をスタンドにより設置した場合、外力や映像表示装置の自重に起因する応力に対してディスプレイパネルに加わる負荷を低減し、画質の劣化やディスプレイパネルの破損を抑制する映像表示装置を提供することを目的とする。
【課題を解決するための手段】
【００１０】
上記目的課題を達成するために、本発明の映像表示装置は、ディスプレイパネルと、ディスプレイパネルの背面に接合部材によって接合したシャーシ部材と、ディスプレイパネルとシャーシ部材とを覆って設けた筐体と、シャーシ部材に固定された第１支持部材と、シャーシ部材との間に空間部を設けるように第１支持部材に固定された第２支持部材と、第２支持部材に固定されたスタンドと、を備えている。
【００１１】
このような構成により、シャーシ部材と第２支持部材との間に空間部を設け、外力や表示装置の自重に起因する荷重に対して、スタンドからシャーシ部材に伝達される荷重を第１支持部材と第２支持部材との変形によって吸収して、ディスプレイパネルに加わる負荷を低減し、画質の劣化やディスプレイパネルの破損が発生しにくい映像表示装置を実現することができる。
【００１２】
さらに、シャーシ部材と第１支持部材とを結合固定する第１固定部と、第１支持部材と第２支持部材とを結合固定する第２固定部と、第２支持部材とスタンドとを結合固定する第３固定部とを有し、少なくとも第１固定部と第３固定部の位置が、シャーシ部材の背面側から見てシャーシ部材へ投影した位置において異なることが望ましい。このような構成によれば、スタンドからシャーシ部材に伝達される負荷は、それぞれの固定部の位置が異なることにより、直接スタンドからシャーシ部材に伝達されることがなく、ディスプレイパネルへの負荷を低減し、画質の劣化やディスプレイパネルの破損を防止する効果をさらに高めることができる。
【００１３】
さらに、第１固定部が第２固定部より外側に配置され、かつ、第２固定部が第３固定部よりも外側に配置されていることが望ましい。このような構成によれば、スタンドからシャーシ部材へ伝達される負荷を外側に拡散させながら伝達することになるので、ディスプレイパネルへの負荷をさらに低減し、画質の劣化やディスプレイパネルの破損を防止する効果をさらに高めることができる。
【００１４】
さらに、シャーシ部材は長辺と短辺を有し、第１支持部材が、シャーシ部材の短辺と略平行な長辺部を備えるとともに、シャーシ部材の長辺方向の中心軸に対して対象となるように少なくとも２本配置されていることが望ましい。このような構成によれば、第１支持部材をシャーシ部材の補強部材としてシャーシ部材の変形を抑制し、さらにスタンドからシャーシ部材に伝達される負荷を低減することができる。
【発明の効果】
【００１５】
本発明によれば、外力や映像表示装置の自重に起因する荷重に対して、スタンドからシャーシ部材に伝達される荷重を吸収して、ディスプレイパネルに加わる負荷を低減し、画質の劣化やディスプレイパネルの破損が発生しにくい映像表示装置を実現することができる。
【図面の簡単な説明】
【００１６】
【図１】本発明の実施の形態１における映像表示装置であるプラズマディスプレイ装置に使用されるＰＤＰの基本構成を示す主要部の分解斜視図
【図２】同プラズマディスプレイ装置の外観を示す斜視図
【図３】同プラズマディスプレイ装置の内部の主要な構成を示す断面図
【図４】同プラズマディスプレイ装置の背面図
【図５】同プラズマディスプレイ装置の上面図
【図６】同プラズマディスプレイ装置に用いる第１支持部材の詳細を示す斜視図
【図７】同プラズマディスプレイ装置の変形例の内部の主要な構成を示す断面図
【図８】同プラズマディスプレイ装置の変形例の背面図
【図９】同プラズマディスプレイ装置の変形例の上面図
【図１０】本発明の実施の形態２におけるプラズマディスプレイ装置の内部の主要な構成を示す断面図
【図１１】同プラズマディスプレイ装置の背面図
【図１２】同プラズマディスプレイ装置の上面図
【図１３】同プラズマディスプレイ装置に用いる第１支持部材の詳細を示す斜視図
【図１４】同プラズマディスプレイ装置の変形例の内部の主要な構成を示す断面図
【発明を実施するための形態】
【００１７】
以下、本発明の実施の形態では、映像表示装置の一例として、プラズマディスプレイ装置を例として、図面を参照しながら説明する。
【００１８】
（実施の形態１）
図１は、本発明の実施の形態１における映像表示装置であるプラズマディスプレイ装置１（以下、本装置１と略記する）に使用されるＰＤＰ１０の基本構成を示す主要部の分解斜視図である。
【００１９】
図１に示すように、ＰＤＰ１０は、前面板２０と背面板３０とで構成されている。前面板２０は前面ガラス基板２１を有し、前面ガラス基板２１上には平行に配列された走査電極２２と維持電極２３とからなる表示電極対２４が複数形成されている。また、走査電極２２と維持電極２３とを覆うように誘電体層２５が形成され、その誘電体層２５上に保護層２６が形成されている。背面板３０は背面ガラス基板３１を有し、背面ガラス基板３１上に平行に配列されたデータ電極３２が複数形成されている。データ電極３２を覆うように下地誘電体層３３が形成され、さらに、その上に井桁状の隔壁３４が形成されている。そして、隔壁３４の側面および下地誘電体層３３上には、データ電極３２毎に順次、赤色、緑色および青色の各色に発光する蛍光体層３５が設けられている。
【００２０】
これら前面板２０と背面板３０とは、微小な放電空間を挟んで表示電極対２４とデータ電極３２とが交差するように対向配置され、その外周部をガラスフリットなどの封着部材（図示せず）によって封着されている。放電空間には、例えばネオン（Ｎｅ）やキセノン（Ｘｅ）などの混合ガスが放電ガスとして封入されている。また、放電空間は隔壁３４によって複数の区画に仕切られており、表示電極対２４とデータ電極３２とが交差する部分に放電セルが形成される。そして、これらの放電セル内で放電がなされ、放電により発生する紫外線によって蛍光体層３５が励起されて発光してカラー画像が表示される。なお、ＰＤＰ１０の構造は上述したものに限られるわけではなく、例えばストライプ状の隔壁を備えた構造であってもよい。
【００２１】
次に、本装置１を装置台などに設置する場合の保持構造について、図２〜図５を用いて説明する。図２は本装置１の外観を示す斜視図である。図２に示すように、本装置１は、本体１１とスタンド１２とにより構成され、本体１１内にＰＤＰ１０が内蔵されている。図３は、本装置１の内部の主要な構成を示す断面図であり、図３（ａ）は図２におけるＡ−Ａ断面図、図３（ｂ）は、図３（ａ）の一部の構成を詳細に示す拡大断面図である。また、図４は本装置１の背面図であり、図５は本装置１の上面図である。なお、図５では図を簡単にするために本体１１のうちの金属シャーシ４５のみを示している。また、図６は本装置１と本体１１とスタンド１２と支持固定する第１支持部材４２ａ、４２ｂ、４２ｃ、４２ｄの詳細を示す斜視図である。
【００２２】
図３に示すように、本装置１は、前面板２０と背面板３０との周縁部を封着部材４０によって接合したＰＤＰ１０と、ＰＤＰ１０の背面板３０に接合部材（図示せず）によって接合したシャーシ部材としての金属シャーシ４５と、ＰＤＰ１０と金属シャーシ４５とを覆って設けた筐体４８と、スタンド１２とを備えたプラズマディスプレイ装置である。
【００２３】
金属シャーシ４５は長辺と短辺を有し、機械的剛性および熱伝導性に優れたアルミニウムなどが使用され、熱伝導性の高い両面テープ（図示せず）を介してＰＤＰ１０が接着されている。また、ＰＤＰ１０との接合面の裏面には、電気回路基板（図示せず）が取付けられている。筐体４８は、前面筐体４８ａと背面筐体４８ｃとそれを中継する側面筐体４８ｂとを備えている。前面筐体４８ａの開口部５０の内側には強化ガラスなどを材料とする前面保護パネル４９が配設され、前面保護パネル４９とＰＤＰ１０との周囲の隙間には、防塵用の防塵スポンジ４６が配設されている。また、ＰＤＰ１０と筐体４８とは固定部材４７を介して固定支持されている。
【００２４】
本装置１は、本体１１およびスタンド１２を備え、本体１１のＰＤＰ１０の金属シャーシ４５とスタンド１２の本体取付け部４１とが次のように支持固定されている。すなわち、金属シャーシ４５に固定された第１支持部材４２ａ、４２ｂ、４２ｃ、４２ｄが、第２支持部材４３に支持固定され、さらに第２支持部材４３がスタンド１２の本体取付け部４１に支持固定されている。
【００２５】
次に、これらの支持固定の詳細について説明する。
【００２６】
図６に示すように、金属シャーシ４５に固定される第１支持部材４２ａ、４２ｂ、４２ｃ、４２ｄはＬ型曲げ部を備えたアングルである。これらの第１支持部材４２ａ、４２ｂ、４２ｃ、４２ｄを金属シャーシ４５の背面にボルトなどで固定する。次に、第１支持部材４２ａ、４２ｂ、４２ｃ、４２ｄに平板状の第２支持部材４３を結合固定する。このとき、第２支持部材４３の四隅に第１支持部材４２ａ、４２ｂ、４２ｃ、４２ｄが配設されるようにしている。さらに、図５に示すように、第１支持部材４２ａ、４２ｂ、４２ｃ、４２ｄのＬ型曲げ部の段差によって、金属シャーシ４５と第２支持部材４３との間には空間部４４が形成されるようにしている。このとき、第１支持部材４２ａ、４２ｂ、４２ｃ、４２ｄは、図５に示すように、金属シャーシ４５とは第１固定部４２１ａ、４２１ｂ、４２１ｃ、４２１ｄで結合固定され、第２支持部材４３とは第２固定部４２２ａ、４２２ｂ、４２２ｃ、４２２ｄで結合固定されている。
【００２７】
また、第２支持部材４３とスタンド１２の本体取付け部４１とは、第３固定部４１１ａ、４１１ｂ、４１１ｃ、４１１ｄで結合固定されている。
【００２８】
このとき、図４に示すように、第１固定部４２１ａ、４２１ｂ、４２１ｃ、４２１ｄと、第２固定部４２２ａ、４２２ｂ、４２２ｃ、４２２ｄと、第３固定部４１１ａ、４１１ｂ、４１１ｃ、４１１ｄのそれぞれの位置が、金属シャーシ４５の背面側から見て金属シャーシ４５へ投影した位置において異なるように配置している。さらに、第１固定部４２１ａ、４２１ｂ、４２１ｃ、４２１ｄを第２固定部４２２ａ、４２２ｂ、４２２ｃ、４２２ｄより外側に配置し、かつ、第２固定部４２２ａ、４２２ｂ、４２２ｃ、４２２ｄを第３固定部４１１ａ、４１１ｂ、４１１ｃ、４１１ｄよりも外側に配置するようにしている。
【００２９】
このように、本発明の実施の形態１における映像表示装置としてのプラズマディスプレイ装置では、金属シャーシ４５と第２支持部材４３との間に空間部４４を設けている。そのために、本体１１に外力が印加された場合や本体１１の自重に起因する荷重に対して、その反作用としてスタンド１２から金属シャーシ４５に伝達される荷重を、第１支持部材４２ａ、４２ｂ、４２ｃ、４２ｄと第２支持部材４３との変形によって吸収することができる。そのため、ＰＤＰ１０に加わる負荷を低減し、画質の劣化やＰＤＰ１０の破損が発生しにくいプラズマディスプレイ装置を実現することができる。
【００３０】
さらに、第１固定部４２１ａ、４２１ｂ、４２１ｃ、４２１ｄと、第３固定部４１１ａ、４１１ｂ、４１１ｃ、４１１ｄとの位置が、金属シャーシ４５の背面側から見て金属シャーシ４５へ投影した位置において異なるため、本体１１に外力または自重に起因する応力が印加された場合、スタンド１２から金属シャーシ４５に伝達される負荷は、スタンド１２の本体取付け部４１から金属シャーシ４５に直接伝達されることがない。したがって、ＰＤＰ１０への負荷を低減し、画質の劣化やＰＤＰ１０の破損を防止する効果をさらに高めることができる。
【００３１】
さらに、第１固定部４２１ａ、４２１ｂ、４２１ｃ、４２１ｄが第２固定部４２２ａ、４２２ｂ、４２２ｃ、４２２ｄより外側に配置され、かつ、第２固定部４２２ａ、４２２ｂ、４２２ｃ、４２２ｄが第３固定部４１１ａ、４１１ｂ、４１１ｃ、４１１ｄよりも外側に配置している。そのため、スタンド１２から金属シャーシ４５へ伝達される負荷を外側に拡散させながら伝達することができる。これにより、ＰＤＰ１０への負荷をさらに低減し、画質の劣化やＰＤＰ１０の破損を防止する効果をさらに高めることができる。
【００３２】
なお、本発明の実施の形態１では、第１支持部材と第２支持部材は別体として構成したが、一体であってもよい。
【００３３】
なお、本発明の実施の形態１では、図３に示すように、前面保護パネル４９を有する構成としているが、前面板２０に保護フィルムを貼り付けた構成としても同様の効果を得ることができる。
【００３４】
次に、本発明の実施の形態１の変形例について説明する。
【００３５】
図７は、本装置１の変形例における内部の主要な構成を示す断面図であり、図７（ａ）は図２におけるＡ−Ａ断面図、図７（ｂ）は、図７（ａ）の一部の構成を詳細に示す拡大断面図である。また、図８は本装置１の変形例の背面図であり、図９は本装置１の変形例の上面図であり、図９では図を簡単にするために本体１１のうちの金属シャーシ４５のみを示している。
【００３６】
本変形例においては、第２支持部材が２つの部材に分かれている。すなわち、第２支持部材４３ａ、４３ｂを有している。
【００３７】
また、本変形例においては、第１支持部材４２ａ、４２ｂ、４２ｃ、４２ｄと第２支持部材４３ａ、４３ｂとの間に背面筐体４８ｃが位置している。すなわち、第２支持部材４３ａ、４３ｂは、背面筐体４８ｃを介して第１支持部材４２ａ、４２ｂ、４２ｃ、４２ｄに固定されている。
【００３８】
このような構成においても、上述した変形前の実施の形態１と同様の効果を得ることが出来る。
【００３９】
（実施の形態２）
次に、本発明の実施の形態２における映像表示装置であるプラズマディスプレイ装置２（以下、本装置２と略記する）について、図１０〜図１３を用いて説明する。本装置２は、本発明の実施の形態１におけるプラズマディスプレイ装置１と基本構成は同じであるので、プラズマディスプレイ装置１と異なる構成についてのみ説明し、共通する構成要素については、同一の符号を付して説明を省略する。
【００４０】
図１０は、本装置２の内部の主要な構成を示す断面図である。また、図１１は本装置２の背面図であり、図１２は本装置２の上面図である。図１３は本装置２の本体１１とスタンド１２とを支持固定する第１支持部材５２ａ、５２ｂの詳細を示す斜視図である。
【００４１】
図１０および図１１に示すように、本発明の実施の形態２における本装置２では、長辺と短辺を有する金属シャーシ４５に支持固定される第１支持部材５２ａ、５２ｂを少なくとも２本配設している。また、図１３に示すように、第１支持部材５２ａ、５２ｂは、凸形状の曲げ部を有するアングルである。また、第１支持部材５２ａ、５２ｂには、金属シャーシ４５と結合固定する第１固定部５２１ａ、５２１ｂ、５２１ｃ、５２１ｄがその長辺方向に複数個（８個）設けられ、さらに、第２支持部材４３とを結合固定する第２固定部５２２ａ、５２２ｂ、５２２ｃ、５２２ｄが設けられている。
【００４２】
本発明の実施の形態２における本装置２では、上述の第１支持部材５２ａ、５２ｂの構成が、実施の形態１と異なるのみで、他の支持部材などの構成は実施の形態１と同様である。
【００４３】
次に、本発明の実施の形態２におけるスタンド１２との支持固定の詳細について説明する。まず、金属シャーシ４５の背面側に２本の補強部材としての機能を備えた第１支持部材５２ａ、５２ｂを配設し、第１固定部５２１ａ、５２１ｂ、５２１ｃ、５２１ｄによって金属シャーシ４５に結合固定する。次に、第１支持部材５２ａ、５２ｂに設けた第２固定部５２２ａ、５２２ｂ、５２２ｃ、５２２ｄによって、第２支持部材４３と第１支持部材５２ａ、５２ｂとを結合固定する。また、第２支持部材４３と、スタンド１２の本体取付け部４１とは、第２支持部材４３と本体取付け部４１に設けられた第３固定部４１１ａ、４１１ｂ、４１１ｃ、４１１ｄで結合固定している。
【００４４】
また、このとき、第１固定部５２１ａ、５２１ｂ、５２１ｃ、５２１ｄと、第２固定部５２２ａ、５２２ｂ、５２２ｃ、５２２ｄと、第３固定部４１１ａ、４１１ｂ、４１１ｃ、４１１ｄのそれぞれの位置が、図１１に示すように、金属シャーシ４５の背面側から見て金属シャーシ４５へ投影した位置において異なる位置となるように配置している。また、第１固定部５２１ａ、５２１ｂ、５２１ｃ、５２１ｄを第２固定部５２２ａ、５２２ｂ、５２２ｃ、５２２ｄより外側に配置し、かつ、第２固定部５２２ａ、５２２ｂ、５２２ｃ、５２２ｄを第３固定部４１１ａ、４１１ｂ、４１１ｃ、４１１ｄよりも外側に配置している。
【００４５】
また、図１２に示すように、金属シャーシ４５と第２支持部材４３との間には、第１支持部材５２ａ、５２ｂの凸形状の曲げ部によって空間部４４が形成されている。
【００４６】
したがって、本発明の実施の形態２における映像表示装置では、第１支持部材５２ａ、５２ｂは金属シャーシ４５を補強する補強部材としての機能を発揮することができる。したがって、スタンド１２から金属シャーシ４５に負荷が伝達されても金属シャーシ４５の変形を抑制し、ＰＤＰ１０への負荷を低減して画質の劣化やＰＤＰ１０の破損を防止することが可能となる。
【００４７】
また、落下などの衝撃を受けた場合においても、金属シャーシ４５の変形が小さくなり、ＰＤＰ１０の破損を防止する効果も得られる。
【００４８】
さらに、金属シャーシ４５と第２支持部材４３との間に空間部４４を形成するとともに、それぞれの固定部の位置を異ならせ、第３固定部４１１ａ、４１１ｂ、４１１ｃ、４１１ｄよりも外側に第２固定部５２２ａ，５２２ｂ，５２２ｃ，５２２ｄを配置し、第２固定部５２２ａ、５２２ｂ、５２２ｃ、５２２ｄよりも外側に第１固定部５２１ａ、５２１ｂ、５２１ｃ、５２１ｄを配置している。このような構成によれば、実施の形態１で述べたのと同様に、本体１１に外力が印加された場合や本体１１の自重に起因する荷重に対して、その反作用としてスタンド１２から金属シャーシ４５に伝達される荷重を、それぞれの支持部材の変形によって吸収、拡散することができる。そのため、ＰＤＰ１０に加わる負荷を低減し、画質の劣化やＰＤＰ１０の破損が発生しにくいプラズマディスプレイ装置を実現することができる。
【００４９】
なお、本発明の実施の形態２において、第１支持部材５２ａ、５２ｂの長さを金属シャーシ４５の短辺の長さより小さくしているが、金属シャーシ４５の短辺長さと同じ長さとすると、第１支持部材５２ａ、５２ｂの補強効果をさらに高めることができる。
【００５０】
また、第１支持部材５２ａ、５２ｂの配設位置については、金属シャーシ４５および第１支持部材５２ａ、５２ｂの寸法・形状および材料の特性などを勘案して最適化を図ることができるが、本発明の実施の形態２では以下の配置が最適であることを確認している。
【００５１】
すなわち、第１支持部材５２ａ、５２ｂが、長辺と短辺を有する金属シャーシ４５の長辺の中心線６０を対称として配置された場合、金属シャーシ４５の長辺長さをＡ、第１支持部材５２ａ、５２ｂ間と間隔をＢとした場合、０．１５≦Ｂ／Ａ≦０．５５であることが望ましい。
【００５２】
次に、本発明の実施の形態２の変形例について説明する。図１４は、本装置２の変形例における内部の主要な構成を示す断面図である。
【００５３】
本変形例においては、第１支持部材５２ａ、５２ｂと第２支持部材４３ａ、４３ｂとの間に背面筐体４８ｃが位置している。すなわち、第２支持部材４３ａ、４３ｂは、背面筐体４８ｃを介して第１支持部材５２ａ、５２ｂに固定されている。
【００５４】
このような構成においても、上述した変形前の実施の形態２と同様の効果を得ることができる。
【００５５】
なお、以上の説明は本発明の好適な実施の形態の例証であり、本発明の範囲はこれに限定されない。つまり、上記装置の構成等についての説明は例であり、本発明の範囲においてこれらの例に対する様々な変更および追加が可能であることは明らかである。
【００５６】
また、以上の説明では、映像表示装置としてプラズマディスプレイ装置を対象として説明してきたが、大型化が進展する液晶ディスプレイ装置や有機ＥＬディスプレイ装置などにも適用可能なことは言うまでもない。
【産業上の利用可能性】
【００５７】
以上のように、映像表示装置をスタンドなどにより設置台に設置した場合、外力や表示装置の自重に起因する画質の劣化や表示パネルの破損を抑制することができ、特に大画面の表示装置などに有用である。
【符号の説明】
【００５８】
１，２    プラズマディスプレイ装置（本装置）
１０    ＰＤＰ
１１    本体
１２    スタンド
２０    前面板
２１    前面ガラス基板
２２    走査電極
２３    維持電極
２４    表示電極対
２５    誘電体層
２６    保護層
３０    背面板
３１    背面ガラス基板
３２    データ電極
３３    下地誘電体層
３４    隔壁
３５    蛍光体層
４０    封着部材
４１    本体取付け部
４２ａ，４２ｂ，４２ｃ，４２ｄ，５２ａ，５２ｂ    第１支持部材
４３，４３ａ，４３ｂ    第２支持部材
４４    空間部
４５    金属シャーシ
４６    防塵スポンジ
４７    固定部材
４８    筐体
４８ａ    前面筐体
４８ｂ    側面筐体
４８ｃ    背面筐体
４９    前面保護パネル
５０    開口部
６０    中心線
４１１ａ，４１１ｂ，４１１ｃ，４１１ｄ    第３固定部
４２１ａ，４２１ｂ，４２１ｃ，４２１ｄ，５２１ａ，５２１ｂ，５２１ｃ，５２１ｄ    第１固定部
４２２ａ，４２２ｂ，４２２ｃ，４２２ｄ，５２２ａ，５２２ｂ，５２２ｃ，５２２ｄ    第２固定部
【図１】
2010243708.tif 000003
【図２】
2010243708.tif 000004
【図３】
2010243708.tif 000005
【図４】
2010243708.tif 000006
【図５】
2010243708.tif 000007
【図６】
2010243708.tif 000008
【図７】
2010243708.tif 000009
【図８】
2010243708.tif 000010
【図９】
2010243708.tif 000011
【図１０】
2010243708.tif 000012
【図１１】
2010243708.tif 000013
【図１２】
2010243708.tif 000014
【図１３】
2010243708.tif 000015
【図１４】
2010243708.tif 000016